(57)【要約】【課題】特に構造体と少なくとも２つの光電池とを含む太陽電池パネルを提供する【解決手段】このソーラーパネル（１２）は周囲環境と接触する構造体（１４）と、各々が側方接触面を画定し、基部要素と、導電体のグリッドと、透明物質から作られた保護要素とを含み、グリッドが側方接触面に沿って延びる少なくとも１つの導電性ワイヤを含む、少なくとも２つの光電池（１６Ａ，１６Ｂ）とを含む。２つのセル（１６Ａ，１６Ｂ）は側方コンタクト面の各々の少なくとも一部がパネル面（１９）を形成しながら他の部分に関して配置され、２つのセル（１６Ａ，１６Ｂ）の側面の対向する部分間の周囲を通過する最短経路が少なくとも約２０ｍｍに等しくなるように、構造体（１４）上に配置される。【選択図】図２
2018207111.tif 000002
【特許請求の範囲】
【請求項１】
周囲環境と接触する構造（１４）と、
少なくとも２つの光電池セル（１６Ａ，１６Ｂ；３１６Ａ，３１６Ｂ）であって、各セル（１６Ａ，１６Ｂ；３１６Ａ，３１６Ｂ）が横方向接触面（３０Ａ，３０Ｂ）を画定し、ベース要素（２０Ａ，２０Ｂ）と、導電体のグリッド（２４Ａ，２４Ｂ）と、透明材料から作られた保護要素（２２Ａ，２２Ｂ）とを含み、前記グリッド（２４Ａ，２４Ｂ）が前記保護要素（２２Ａ，２２Ｂ）と前記ベース要素（２０Ａ，２０Ｂ）との間に配置され、セルの横方向接触面に沿って延びる少なくとも１つの導電性ワイヤを含み、
前記２つのセルが各横方向接触面の少なくとも一部が他の部分に関して配置され、これらのセル（１６Ａ，１６Ｂ；３１６Ａ，３１６Ｂ）の保護要素（２２Ａ，２２Ｂ）がパネル表面（１９）を形成するように、構造上に配置され、
２つのセル（１６Ａ，１６Ｂ；３１６Ａ，３１６Ｂ）の側面（３０Ａ，３０Ｂ）の間の周囲環境を通って延びる最短経路が少なくとも約２０ｍｍに等しくなるように、セル（１６Ａ，１６Ｂ；３１６Ａ，３１６Ｂ）が配置されることを特徴とする太陽電池パネル（１２；１１２；２１２；３１２）。
【請求項２】
２つの光電池セル（１６Ａ，１６Ｂ；３１６Ａ，３１６Ｂ）の側面接触面（３０Ａ、３０Ｂ）の間の構造（１４）上に配置され、これらの面の対向する部分に沿って延在し、パネル表面（１９）に対して突出する誘電材料から作られたバリア（１８Ａ；１１８Ａ；２１８Ａ；３１８Ａ）を更に含み、
側面（３０Ａ、３０Ｂ）の対向する部分の間の最短経路は、バリア（１８Ａ；１１８Ａ；２１８Ａ；３１８Ａ）をバイパスすることによって計算されることを特徴とする、
請求項１に記載の太陽電池パネル（１２；１１２；２１２；３１２）。
【請求項３】
パネル表面（１９）に垂直な方向（Ｐ）が照明方向（Ｅ）から９０°より小さい最大離隔角度（αｍａｘ）だけ離れる環境で動作するように設計され、照明方向（Ｅ）は光源（Ｓ）の中心とパネルの所定の点を通る直線によって定義され、
前記バリア（１８Ａ；１１８Ａ；２１８Ａ；３１８Ａ）および／または前記セル（１６Ａ，１６Ｂ）は、前記パネル表面（１９）に垂直な方向（Ｐ）が前記最大離隔角度（αｍａｘ）の照明方向（Ｅ）から離れる方向に移動するときに前記バリア（１８Ａ；１１８Ａ；２１８Ａ；３１８Ａ）によって生成されるシェードが前記２つのセルの各々の実質的に外側になるように配置される、
ことを特徴とする、請求項２に記載の太陽電池パネル（１２；１１２；２１２；３１２）。
【請求項４】
宇宙船（１０）に搭載されていることを特徴とする、請求項２または３に記載の太陽電池パネル（１２；１１２；２１２；３１２）。
【請求項５】
前記バリア（１８Ａ；１１８Ａ；２１８Ａ；３１８Ａ）がパネル面（１９）に対して少なくとも約１０ｍｍ突出することを特徴とする、請求項２〜４のいずれか１項に記載の太陽電池パネル（１２；１１２；２１２；３１２）。
【請求項６】
前記２つのセルの対向する部分が、少なくとも約９ｍｍだけ分離されていることを特徴とする、請求項２〜５のいずれか一項に記載の太陽電池パネル（１２；１１２；２１２）。
【請求項７】
前記バリア（１１８Ａ；２１８Ａ；３１８Ａ）の断面が二等辺三角形を形成し、その底面が前記構造（１４）に近接し、底面と対向する角度が最大離隔角度（αｍａｘ）の２倍であることを特徴とする請求項３〜６のいずれか一項に記載の太陽電池パネル（１１２；２１２；３１２）。
【請求項８】
前記構造（１４）は、横軸（Ｘ）に垂直な縦軸（Ｙ）に沿って細長い形状を有し、
各セル（３１６Ａ，３１６Ｂ）のグリッドは、縦軸（Ｙ）に沿って延びる複数の導電性ワイヤを含む、請求項１〜７のいずれか一項に記載の太陽電池パネル（３１２）。
【請求項９】
各々のセル（３１６Ａ，３１６Ｂ）のグリッドが櫛の形状をとり、その歯が縦軸（Ｙ）に沿って延びる導電性ワイヤによって形成されることを特徴とする、請求項８に記載の太陽電池パネル（３１２）。
【請求項１０】
軌道（Ｏ１）周りを回転する宇宙船（１０）に搭載され、
縦軸（Ｙ）は、軌道（Ｏ１）を構成する平面に垂直である、
請求項８又は請求項９に記載の太陽電池パネル（３１２）。
【請求項１１】
バリア（１８Ａ；１１８Ａ；２１８Ａ；３１８Ａ）は可撓性物質から作製され、前記バリア（１８Ａ；１１８Ａ；２１８Ａ；３１８Ａ）はパネル面（１９）に対して突出することなく、前記２つの側面接触面（３０Ａ，３０Ｂ）によって画定される空間内で折り畳まれるのに適していることを特徴とする、請求項２から１０のいずれか一項に記載の太陽電池パネル（１２；１１２；２１２；３１２）。
【請求項１２】
バリア（１８Ａ；１１８Ａ；２１８Ａ；３１８Ａ）がポリイミドポリマーから作られることを特徴とする、請求項２〜１１のいずれか一項に記載の太陽電池パネル（１２；１１２；２１２；３１２）。
【請求項１３】
バリア（２１８Ａ）が集光器であることを特徴とする、請求項２〜１２のいずれか一項に記載の太陽電池パネル（２１２）。
【請求項１４】
バリア（１８Ａ；１１８Ａ；２１８Ａ；３１８Ａ）が、３０Ｖより大きい電位を有する光電池（１６Ａ,１６Ｂ；３１６Ａ,３１６Ｂ）の各対の間に配置されることを特徴とする、請求項２〜１３のいずれか一項に記載の太陽電池パネル（１２；１１２；２１２；３１２）。
【発明の詳細な説明】
【技術分野】
【０００１】
本発明は特に、構造体と、少なくとも２つの光電池とを含む太陽電池パネル（ソーラーパネル）に関する。
【０００２】
本発明は特に、航空宇宙分野に適用可能である。したがって、例えば、本発明によるソーラーパネルは、衛星などの宇宙船に搭載され、そのような車両用の電源である。
【背景技術】
【０００３】
一般に、衛星は、衛星の少なくともいくつかの電気部品に電力を供給するために使用される、太陽発電機とも呼ばれる１つまたは複数の太陽パネルを含む。
【０００４】
衛星の現代の構造は、搭載電気推進剤タイプの推進を使用することからなる「オールエレクトリック」概念に基づいている。従って、電気エネルギーを生成する太陽発電機の容量を増加させる必要がある。
【０００５】
この文脈において、太陽発電機は、数百ボルト（典型的には現在の推進剤については３５０Ｖ、または研究されているいくつかのモータについては６００Ｖ）までの電圧を供給しなければならない。
【０００６】
また、衛星の電気部品、特にこれらの部品に使用される電流導体は電気アークが現れた場合に、特に短絡または遮断の危険にさらされることも知られている。
【０００７】
実際、空気のない航空宇宙環境では、静電放電、マイクロメータライト衝撃、高電圧などの前駆現象が局所プラズマを生成することがある。後者は膨張することによって、環境を導電性にし、差動分極部分間の短絡を確立することがある。このような短絡は、電気アークとしても知られている。
【０００８】
電気アークの確立の問題は、利用可能な光起電力のため、太陽光発電機に照らして特に重要となる。
【０００９】
特に、現行の構造で使用される電気アークの発生を防止する手段は、この役目を効果的に果たすにもはや充分ではない。これは、特に、これらの発電機によって提供される電流の電圧の必要な増加に起因する。
【００１０】
したがって、これらの太陽発電機によって生成される電圧が大きくなると、電気アークがこれらの発電機の異なる導体間に、一時的に、準永久的に、または永久的に現れることに留意されたい。
【００１１】
そして、これらのアークは、太陽電池パネルに大きな損傷を与え、利用可能な光起電力の一部の損失（電池、列（ｒｏｗ）または部分全体の損傷）、太陽電池発電機のパネル全体または翼全体の損傷（ｄａｍａｇｅ）を引き起こし得ることが分かる。
【発明の概要】
【発明が解決しようとする課題】
【００１２】
本発明は、電気アークの発生の危険性が大幅に低減されたソーラーパネルを提案することを目的とする。
【課題を解決するための手段】
【００１３】
この目的のために、本発明は周囲環境と接触する構造と、少なくとも２つの光電池セルであって、各セルが横方向接触面を画定し、ベース要素と、導電体のグリッドと、透明材料から作られた保護要素とを含み、グリッドが保護要素とベース要素との間に配置され、セルの横方向接触面に沿って延びる少なくとも１つの導電性ワイヤを含み、２つのセルが各横方向接触面の少なくとも一部が他の部分に関して配置され、これらのセルの保護要素がパネル表面を形成するように、構造上に配置され、２つのセルの側面の間の周囲環境を通って延びる最短経路が少なくとも約２０ｍｍに等しくなるように、セルが配置されることを特徴とする太陽電池パネルに関する。
【００１４】
本発明の他の有利な態様によれば、パネルは、単独で、またはすべての技術的に可能な組合せに従って考慮される、以下の特徴のうちの１つまたは複数を含む。
【００１５】
さらに、２つの光電池の側面接触面の間の構造上に配置され、これらの面の対向する部分に沿って延在し、パネル表面に対して突出する誘電材料から作られたバリア（障壁）を含み、側面の対向する部分の間の最短経路は、バリアをバイパスすることによって計算される。
【００１６】
パネル表面に垂直な方向が照明方向から９０°より小さい最大離隔角度だけ離れる環境で動作するように設計され、照明方向は光源の中心とパネルの所定の点を通る直線によって定義される。
【００１７】
前記バリアおよび／または前記セルは、前記パネル表面に垂直な方向が前記最大分離角の照明方向から離れる方向に移動するときに前記バリアによって生成されるシェードが前記２つのセルの各々の実質的に外側になるように配置される。
【００１８】
宇宙船に搭載されている。
【００１９】
バリアは、パネル表面に対して少なくとも約１０ｍｍ突出する。
【００２０】
２つのセルの対向する部分は、少なくとも約９ｍｍ離れている。
【００２１】
バリアの断面は二等辺三角形を形成し、その底辺は構造に隣接し、底辺に対向する角度は最大分離角度の２倍である。
【００２２】
構造は、横軸に垂直な縦軸に沿って細長い形状を有する。
【００２３】
各セルのグリッドは、縦軸に沿って延びる複数の導電性ワイヤを含む。
【００２４】
各セルのグリッドは櫛の形状をとり、その歯は縦軸に沿って延在する導電性ワイヤによって形成される。
【００２５】
軌道周りを回転する宇宙船に搭載されている。
【００２６】
縦軸は、軌道を構成する平面に垂直である。
【００２７】
バリアは可撓性材料から作られ、バリアは、パネル表面に対して突出することなく、２つの側面接触面によって画定される空間内で折り畳まれるのに適している。
【００２８】
バリアはポリイミドポリマーから作られる。
【００２９】
バリアは集光器であり、バリアは、電圧が３０Ｖより大きい光電池の各対の間に配置される。
【００３０】
本発明のこれらの特徴および利点は、単に非限定的な例として提供され、添付の図面を参照して行われる以下の説明を読むことによって明らかになるのであろう。
【図面の簡単な説明】
【００３１】
【図１】本発明の第１の実施形態による、特にソーラーパネルを含む静止衛星の概略図である。
【図２】図１のソーラーパネルの概略上面図である。
【図３】本発明の第１の実施形態を示す図１のソーラーパネルの一部の概略縦断面図である。
【図４】本発明の第２の実施形態に係るソーラーパネルの図３と同様の図である。
【図５】本発明の第３の実施形態によるソーラーパネルの図３と同様の図である。
【図６】本発明の第４の実施形態によるソーラーパネルの図２と同様の図である。
【発明を実施するための形態】
【００３２】
本明細書では用語「約」が数値に関連して使用される場合、所与の数値は各考慮されるケースにおいて当業者によって決定される誤差の余裕で近似されることを理解されたい。一例として、この誤差のマージンは、所与の値の＋１０％または−１０％に等しい。
【００３３】
図１において、静止衛星１０は、それ自体公知の方法で衛星１０の本体１３の両側に配置された、本発明による２つのソーラーパネル１２および１２’を含む。
【００３４】
サテライト１０は、軌道Ｏ１に従って地球Ｔの周りを回転する。そして、地球は、軌道Ｏ２に従って太陽の周りを回転する。太陽Ｓの中心およびパネル１２の固定点を通って衛星１０に向けられた線Ｅは、以下では「照明方向Ｅ」という用語を用いて示される。
【００３５】
ソーラーパネル１２、１２’は、数キロワットの電力を供給する電流を生成することができる。この電流の電圧は例えば、２８Ｖ〜１６０Ｖ、または３５０Ｖ以上に及ぶ。
【００３６】
ソーラーパネル１２、１２’は、互いに実質的に同一である。したがって、以下では、ソーラーパネル１２のみを、特に図２および図３を参照して詳細に説明する。
【００３７】
図２に示すように、ソーラーパネル１２は例えば、横軸Ｘに垂直な縦軸Ｙに沿って細長い形状を有する。この形状は例えば、実質的に長方形である。この場合、縦軸Ｙは長方形の長さに沿って延び、横軸Ｘはこの長方形の幅に沿って延びる。
【００３８】
サテライト１０は例えば、縦軸Ｙがこの軌道Ｏ１を含む平面に垂直になるように、軌道Ｏ１に従いながら地球Ｔの周りを回転する。この場合、縦軸Ｙを南北軸と呼ぶ。
【００３９】
ソーラーパネル１２は構造１４と、電流を発生させることができ、横軸Ｘに沿って列を形成しながら構造１４上に配置される複数の光電池１６Ａ〜１６Ｎと、以下に説明するように、横軸Ｘに沿って延在する電池１６Ａ〜１６Ｎの列の間に配置される複数の誘電体バリア１８Ａ〜１８Ｎとを含む。さらに、各行の最初および最後のセルは、以下ではエンドセルと呼ばれる。
【００４０】
構体１４は衛星１０の本体１３に固定するのに適しており、衛星１０の本体１３に向かってセル１６Ａ〜１６Ｎ間に電流を流すのに必要なビートケーブル手段を有する。
【００４１】
各々の電池１６Ａ〜１６Ｎは例えば、太陽電池のユニットサイズを基準にして約０．５Ａ、または０．８Ａ、またはさらには１．６Ａの電流をさらに大きく生成することができる。
【００４２】
図２の例示では、セル１６Ａ〜１６Ｎは９列で構成体１４上に配置され、各列は６つのセルからなり、横軸Ｘに沿って延びている。図２では、最初の２つの行の最初のセル１６Ａおよび１６Ｂのみ、最後の行の最後のセル１６Ｎ、バリア１８Ａ、１８Ｂ、最初の３つの行を互いに分離し、最後の行を次の行から最後の行に分離するバリア１８Ｎが参照番号を有する。
【００４３】
セル１６Ａ〜１６Ｎは、図３に見られる板面１９を形成する。
【００４４】
パネル表面１９は、この表面に垂直な方向Ｐを規定する。垂直方向Ｐは、離隔角度αに沿って照明方向Ｅから遠ざかる。衛星１０の回転の異なる位相の間、分離角αは０°から最大分離角αｍａｘの値まで変化する。
【００４５】
最大分離角度αｍａｘは、例えば約２３．４５°に等しい。このような離隔角度の値は、パネル面１９に影が落ちることを防止するためのものである。
【００４６】
セル１６Ａ〜１６Ｎは、互いに実質的に同一である。さらに、セルの列を分離するバリア１８Ａ〜１８Ｎもまた、互いに実質的に同一である。
【００４７】
特に、上から見ると（図２の図）、各々のセル１６Ａ〜１６Ｎは長辺と呼ばれる同じ辺に隣接する２つの直角と、９０°より大きい４つの他の角度とを有する六角形を有し、これらの角度のうちの２つは、短辺と呼ばれる長辺に並行な辺に隣接する。この形状は、短辺および長辺に垂直な軸に対して対称である。
【００４８】
換言すれば、上から見て、各々のセル１６Ａ〜１６Ｎは、２つの対称的に傾斜した角度を有する長方形の形態をとる。
【００４９】
同じ列において、セル１６Ａ〜１６Ｎは伝統的に、すなわち、それらの長辺（または短辺）が横軸Ｘに対して垂直になるように配置される。
【００５０】
さらに、同じ行において、セル１６Ａ〜１６Ｎは横軸Ｘに並行に延在し、伝統的にインターコネクタ（ｉｎｔｅｒ−ｃｏｎｎｅｃｔｏｒ）（図２には示さず）と呼ばれるケーブル手段によって互いに接続される。
【００５１】
最後に、それ自体知られているように、同じ行の隣接するセル間では、電圧はあまり異ならず、セルの技術に応じて、例えば０．５Ｖと２．５Ｖの間に含まれる。
【００５２】
異なった行の各々の対の間で、ケーブル手段は２つの隣り合うセル、例えば板１２の同じ側に位置する端のセルのみを接続する。
【００５３】
したがって、図２の例示では、ケーブル手段が同じ行のセルを横方向に接続し、異なった行のセルを縦方向に接続する。
【００５４】
一例として、図２において、最初の２つの行の最後のセルは、同じケーブル手段によって接続される。前の場合と同様に、これらの隣接セル間の電圧は、セルの技術に基づいて、例えば０．５Ｖと２．５Ｖの間に含まれる。
【００５５】
図２の例示的な実施形態では、それぞれのバリア１８Ａ〜１８Ｎが実質的に同じ行の端部セルの間で横軸Ｘに沿って、すなわち対応する行全体に沿って延びる。このケースでは、異なった行間のケーブル手段が各セル行について従来行われているように、対応するバリアを迂回することによって、またはパネルの下を通過する。
【００５６】
しかし、一般的なケースでは、対応する列に沿った各々のバリア１８Ａ〜１８Ｎの広がりがセル１６Ａ〜１６Ｎの配置およびケーブル配線に基づいて調整することができる。
【００５７】
特に、２つの隣り合う行の端部セルがケーブル手段によって接続される場合、これらのセル間の電位が比較的低い（０．５Ｖから２．５Ｖの間）と仮定すれば、これらのセルまで対応するバリア１８Ａ〜１８Ｎを拡張することは不要である。
【００５８】
通常、バリア１８Ａ〜１８Ｎは、３０Ｖより大きい電位を有するセル１６Ａ〜１６Ｎの各々の対の間に配置される。
【００５９】
実施形態に応じて、同じセル行上のループの近くに高電圧を有する行端を有することができる場所に特に注意が払われる。その場合、バリアは、高電圧を有する電池を、ある高さおよび同一平面の両方における電池間の十分な距離で保護すべきである。次いで、隣接する列のケーブル配線は、バリアを迂回または横断しなければならない。バリアは、ケーブル配線の後に配置することができるノッチを有することができる。
【００６０】
最後に、セル１６Ａ〜１６Ｎがより複雑な形状（台形、半六角形、または半八角形など）を有する場合、バリア１８Ａ〜１８Ｎはもはや直線ではなく、ジグザグを形成する。このケースでは、セル１６〜１６Ｎが対応するバリア１８Ａ〜１８Ｎがその最大可能長さにわたって、できるだけ少ない量の影を生成するように配向される。
【００６１】
続いて、隣り合うセル１６Ａおよび１６Ｂと、これらのセル１６Ａ、１６Ｂを分離するバリア１８Ａのみを、特にソーラーパネル１０の一部を断面で示す図３に関してより詳細に説明する。
【００６２】
図３に示すように、セル１６Ａ、１６Ｂの各々は、構造１４上に固定されたベース要素２０Ａ、２０Ｂと、ベース要素２０Ａ、２０Ｂを覆う保護要素２２Ａ、２２Ｂと、ベース要素２０Ａ、２０Ｂと保護要素２２Ａ、２２Ｂとの間に配置された導電体２４Ａ、２４Ｂのグリッドとを含む。
【００６３】
ベース要素２０Ａ、２０Ｂは、それ自身公知である。このような素子は特に、導電板と、Ｐ型半導体からなり、導電板を覆う下層と、Ｎ型半導体からなり、下層を覆う上層とを備える。
【００６４】
保護要素２２Ａ、２２Ｂはガラス等の透明な素材からなり、例えば、セル１６Ａ、１６Ｂを放射量から保護しつつ、光がベース要素２０Ａ、２０Ｂに向かって通過することを可能にする。この素子２２Ａ、２２Ｂは「カバーガラス」としても知られている。
【００６５】
グリッド２４Ａ、２４Ｂは、ベース要素２０Ａの全面にわたって均質に配置された複数の導電性ワイヤを含む。
【００６６】
特に、グリッド２４Ａ、２４Ｂは、横軸Ｘに沿って延在する導電性ワイヤを有する櫛（ｃｏｍｂ）（図２に見られる）の形態をとる。そのような構成は、それ自身公知の方法で、光がベース要素２０Ａ、２０Ｂに向かって通過することを可能にする。
【００６７】
２つのセル１６Ａ、１６Ｂの各々は、側面コンタクト面３０Ａ、３０Ｂを画定する。側面コンタクト面３０Ａ、３０Ｂは、互いに対して配置されている。したがって、グリッド２４Ａ、２４Ｂのそれぞれの導電性ワイヤは、対応する側面コンタクト面３０Ａ、３０Ｂに沿って延びる。
【００６８】
側面コンタクト面３０Ａ、３０Ｂは、間隔ｄだけ互いに分離されている。
【００６９】
バリア１８Ａは、側面コンタクト面３０Ａ、３０Ｂの間に対称に配置される。
【００７０】
バリア１８Ａは板面１９に対して突出している。図３において、ｈはパネル面１９に対してバリア１８Ａから垂直Ｐに延びる突出部の長さに相当し、δは保護要素２２Ａ、２２Ｂの厚さに相当する。したがって、バリア１８Ａは、保護要素２２Ａ、２２Ｂに接するグリッド２４Ａ、２４Ｂの端部に対してｈ＋δだけ突出する。この値ｈ＋δは、約１０ｍｍより大きい。
【００７１】
したがって、この例示的実施形態ではバリア１８Ａをバイパスすることによって、グリッド２４Ａと２４Ｂとの間、特に側面コンタクト面３０Ａ、３０Ｂに沿って延びるワイヤ間の最短経路は少なくとも約２０ミリメートルに等しい。
【００７２】
バリア１８Ａは構体１４に固定された薄板であり、例えば、ガラス又はポリイミドポリマー、特にKapton（登録商標）又はUPILEX（登録商標）の名称で知られる物質の形態で作られる。しかし、より一般的には、バリア１８Ａは任意の誘電体から作ることができる。有利には、温度に耐える誘電体(Polyimide Kapton（登録商標）、Ｔｅｆｌｏｎ（登録商標）、全てのタイプのカバーガラス等）から選択することが可能である
【００７３】
有利には、バリア１８Ａの材質は可撓性である。このケースでは、バリア１８Ａが板面１９に対して突出することなく、２つの側方当接面３０Ａと３０Ｂとの間に画定された空間内で折り曲げられるのに適している。バリア１８Ａのこのような構成は例えば、衛星が発射されて配置されるとき、すなわち、ソーラーパネル１２、１２’が展開される前に、それを折り畳み状態に保つことができる。
【００７４】
第１実施形態によれば、セル１６Ａ、１６Ｂは、パネル面１９に垂直な方向Ｐが最大離隔角αｍａｘの点灯方向Ｅから遠ざかるときにバリア１８Ａが生成する影が２つのセル３０Ａ、３０Ｂのそれぞれのほぼ外となるように配置されている。
【００７５】
したがって、この実施形態によれば、セル１６Ａ、１６Ｂの側面コンタクト面３０Ａ、３０Ｂ間の間隔ｄは、例えば６ｍｍから１２ｍｍの間、好ましくは８ｍｍから１０ｍｍの間、有利には約９ｍｍに等しい。
【００７６】
したがって、バリア１８Ａは、側面コンタクト面３０Ａ、３０Ｂのそれぞれから約４．５ミリメートル離れている。
【００７７】
したがって、本発明がいくつかの利点を有することが分かる。
【００７８】
第１に、隣接する光電池の導電性構成要素間の最短経路が増加すると、これらの構成要素間に電気アークが確立される危険性が大幅に減少することが実証された。
【００７９】
したがって、セルの２つの側面接触面の間に挿入され、パネル表面から突出する誘電体バリアはこの経路を拡張することを可能にし、それによって、電気アークの確立の危険性を低減する。
【００８０】
さらに、このバリアの突出部分の寸法を特定の方法で選択することにより、構造上のセルのコンパクトな配置を保持しながら、電気アークの確立の危険性を最小限に抑えることが可能である。
【００８１】
特に、隣接する光電池の導電性構成要素間の最短経路の最小値は、約２０ｍｍでなければならないことが実証されている。これは、値ｈ＋δが約１０ｍｍである場合である。
【００８２】
本発明の第１の実施形態によれば、照明方向Ｅと垂直方向Ｐとが最大分離角αｍａｘを形成している場合でも、バリアがセルの作業面にシェードキャストを発生させないように、隣接するセルが互いに分離されているだけである。これにより、衛星の位置に関係なく、従来のパネルに対して本発明によるパネルの同じ生産性を維持することが可能になる。
【００８３】
最後に、バリアの柔軟性は、パネル上のバリアの存在がこれらのパネルの構造的変化を必要としないことを確実にする。実際、本発明によるソーラーパネルは特に衛星の打ち上げ段階中に、この折り畳みを妨げるバリアなしに、互いに折り畳むことができる。
【００８４】
本発明の第２の実施形態によるソーラーパネル１１２を図４に示す。
【００８５】
ソーラーパネル１１２は前述のソーラーパネル１２と同様であり、特に、前述のものと実質的に同じ構成物１４および光電池１６Ａ〜１６Ｎを含む。
【００８６】
ソーラーパネル１１２は、断面の形のみが前述のバリア１８Ａ〜１８Ｎとは異なる複数のバリア１１８Ａ〜１１８Ｎをさらに含む。
【００８７】
したがって、バリア１１８Ａに関連して図４に示されるように、１１８Ａ〜１１８Ｎそれぞれのバリアは、二等辺三角形の断面を有する。
【００８８】
この三角形の底辺の長さは前述した距離ｄの値に等しく、三角形は前述した同じ値ｈだけパネル表面１９に対して突出している。
【００８９】
底辺に関する三角形の角度βは、約２つの最大分離角度αｍａｘに等しい。
【００９０】
したがって、前のケースと同様に、バリア１１８Ａ〜１１８Ｎによって、隣り合うセルの対の各々の間に電気アークが発生する危険性を最小限に抑えることができ、これらのセルに影が付かないようにすることができる。
【００９１】
本発明の第３の実施形態によるソーラーパネル２１２を図５に示す。
【００９２】
太陽電池パネル２１２は前述の太陽電池パネル１１２と同様であり、特に、前述のものと実質的に同じ構成物１４および光電池１６Ａ〜１６Ｎを含む。
【００９３】
ソーラーパネル２１２は、それぞれのバリア２１８Ａ〜２１８Ｎが集光器の形態をとるという点で、前述のバリア１１８Ａ〜１１８Ｎとは異なる複数のバリア２１８Ａ〜２１８Ｎをさらに含む。
【００９４】
したがって、バリア２１８Ａに関連して図５に示されるように、それぞれのバリア２１８Ａ〜２１８Ｎは、真っ直ぐな底面を有する湾曲した二等辺三角形の断面を有する。
【００９５】
この三角形の底辺の長さは前述した距離ｄの値に等しく、三角形は前述した同じ値ｈだけパネル表面１９に対して突出している。
【００９６】
底辺に関する三角形の角度βは、約２つの最大分離角度αｍａｘに等しい。
【００９７】
太陽Ｓの光線にさらされるバリア２１８Ａ〜２１８Ｎの面は、反射材によって覆われる。バリア２１８Ａ〜２１８Ｎの湾曲面の形は、光線を対応するセルに向けて反射するのに適している。
【００９８】
前の場合と同様に、バリア２１８Ａ〜２１８Ｎはセルの各々の隣り合う対の間に電気アークが確立される危険性を最小限に抑えることができ、これらのセル上に陰影を生じさせない。
【００９９】
また、本実施形態によれば、集光体の形態を想定したバリア２１８Ａ〜２１８Ｎにより、ソーラーパネル２１３の生産性が向上する。
【０１００】
本発明の第４の実施形態によるソーラーパネル３１２を図６に示す。
【０１０１】
ソーラーパネル３１２は前述のソーラーパネル１２と同様であり、特に構造１４を含む。
【０１０２】
ソーラーパネル３１２はさらに、縦軸Ｙに沿って列を形成しながら、ストラクチャ１４上に配置された複数の光電池（セル）３１６Ａ〜３１６Ｎと、セル３１６Ａ〜３１６Ｎの列の間に配置された複数のバリア３１８Ａ〜３１８Ｎとを含む。前の場合と同様に、各行の最初および最後のセルは、以下ではエンドセルと呼ばれる。
【０１０３】
ソーラーパネル３１２は、構成体１４上のセル３１６Ａ〜３１６Ｎの配置のみが前述のパネルとは異なる。
【０１０４】
特に、この実施形態によれば、セル３１６Ａ〜３１６Ｎは構成体１４上に４列で配置され、各列は１２個以下のセルから構成され、縦軸Ｙに沿って延在する。図６には、第１の列の第１のセル３１６Ａおよび３１６Ｂのみ、ならびに最後の列の最後のセル３１６Ｎは、参照番号を有する。
【０１０５】
さらに、この実施形態によれば、同じ列において、セル３１６Ａ〜３１６Ｎは、縦軸Ｙに並行に延在するケーブル手段によって互いに接続される。
【０１０６】
前の場合と同様に、同じ行の隣接するセル間では、電圧はあまり異ならず、セルの技術に応じて、例えば０．５Ｖと２．５Ｖの間に含まれる。
【０１０７】
異なった行の各々の対の間で、ケーブル手段は対応するバリア３１８Ａ〜３１８Ｎをバイパスしながら、対応するセル、好ましくはエンドセルを接続する。
【０１０８】
図６の例示では、バリア３１８Ａ〜３１８Ｎが対応する列全体に沿って延在する。しかし、先のケースと同様に、バリア３１８Ａ〜３１８Ｎの広がりは、ケーブル手段が異なった行の２つのセルを接続する位置ではこれらのセル間の比較的低圧を考慮して、短縮することができる。
【０１０９】
しかし、バリア３１８Ａ〜３１８Ｎは、３０Ｖより大きい電位を有するセル３１６Ａ〜３１６Ｎの各々の対の間に配置される。
【０１１０】
それぞれのバリア３１８Ａ〜３１８Ｎは、前述のバリア１８Ａ、１１８Ａ、または２１８Ａのうちの１つと同様である。
【０１１１】
前述の場合と同様に、各々のバリア３１８Ａ〜３１８Ｎは電気アークが発生する危険性を最小限に抑えるために、前述したのと同じ数値ｈだけ板面１９に対して突出する。
【０１１２】
縦軸Ｙに沿ったバリア３１８Ａ〜３１８Ｎの配置は、第４の実施形態の特別な長所を構成する。実際、太陽Ｓに対してバリア３１８Ａ〜３１８Ｎのこのような配置はバリア３１８Ａ〜３１８Ｎに、セル上に陰影を生じさせないようにする。
【０１１３】
したがって、異なった行に属するセル３１６Ａ〜３１６Ｎの各対の側面コンタクト面間の間隔ｄは、有利には構成体１４上のこれらのセルの配置をより小型にするために減少させることができる。
【０１１４】
この実施形態によれば、この距離ｄは例えば、０．９ ＋／− ０．３ ｍｍに等しい。
【０１１５】
さらに、図２に示すこれらのセルの配置とは異なり、縦軸ＡＵＴＯＢＡＣＢＤＭＯＢＩＬＥに沿ってセルを分離する必要もはやなく、図６のセルは特に縦軸Ｙに沿って、特にコンパクトに、かつバリアのないソーラーパネルの典型的な寸法を変更せずに、構成体１４上に配置される。
【０１１６】
もちろん、本発明の他の実施形態も可能である。
【０１１７】
特に、２つの隣接するセル上にシェードキャストを生成することなく、２つの隣接するセル間に電気アークが確立される危険性を最小限に抑える少なくとも１つのバリアを含むソーラーパネルを得るために、前述の実施形態のうちの少なくともいくつかを組み合わせることが可能である。
【０１１８】
バリアは電圧が再び３０Ｖ未満に降下する場合、またはセル間のギャップがセルの形状（例えば、台形）のために直線的でない場合に折り畳みモード(folding mode)を促進するために、連続的または不連続であり得る。
【０１１９】
誘電体バリアは形状記憶材料から作ることができ、展開または照明後に（エネルギー伝達によって）所望の形状を取り戻す。
【０１２０】
さらに、本発明によるソーラーパネルは衛星以外の任意の移動車両に搭載されてもよく、または、一般に、任意の移動車両とは独立して、例えば、陸面上の静止構成で使用されてもよいことを理解されたい。
【０１２１】
好ましくは本発明の全ての実施形態において、隣接するセルの各対の側面接触面間の距離ｄはこれらのセルの各寸法（幅、長さ、および高さ）より小さく、有利にはこれらの寸法の各々より２倍小さい。さらに、好ましくは、この距離ｄは３０ｍｍ未満、有利には２０ｍｍ未満、より有利には１０ｍｍ未満である。
【図１】
2018207111.tif 000003
【図２】
2018207111.tif 000004
【図３】
2018207111.tif 000005
【図４】
2018207111.tif 000006
【図５】
2018207111.tif 000007
【図６】
2018207111.tif 000008
【外国語明細書】
2018207111000001.pdf